(57)【要約】【課題】装置を利用するユーザごとに複製可能回数を管理することでユーザの利便性を向上できる技術の実現。【解決手段】コンテンツ記録再生装置は、コンテンツを受信する受信手段と、前記受信手段により受信したコンテンツを記録する記録手段と、登録された複数のユーザの情報を記憶するユーザ情報記憶手段と、前記記録手段に記録されているコンテンツを複製する複製手段と、ユーザごとに、前記記録手段に記録されているコンテンツについての前記複製手段による複製可能回数を記憶する複製可能回数記憶手段と、前記ユーザ情報記憶手段に記憶されているユーザの情報に基づき、装置を操作しているユーザを識別する識別手段と、前記複製可能回数記憶手段に記憶されている前記複製可能回数に基づき、前記識別手段により識別されたユーザおよびコンテンツごとの複製の実行を制御する制御手段と、を有する。【選択図】図１
2010193096.tif 000002
【特許請求の範囲】
【請求項１】
コンテンツを受信する受信手段と、
前記受信手段により受信したコンテンツを記録する記録手段と、
登録された複数のユーザの情報を記憶するユーザ情報記憶手段と、
前記記録手段に記録されているコンテンツを複製する複製手段と、
ユーザごとに、前記記録手段に記録されているコンテンツについての前記複製手段による複製可能回数を記憶する複製可能回数記憶手段と、
前記ユーザ情報記憶手段に記憶されているユーザの情報に基づき、装置を操作しているユーザを識別する識別手段と、
前記複製可能回数記憶手段に記憶されている前記複製可能回数に基づき、前記識別手段により識別されたユーザおよびコンテンツごとの複製の実行を制御する制御手段と、を有することを特徴とするコンテンツ記録再生装置。
【請求項２】
前記複製手段により複製を行ったユーザおよび複製した日時を含む複製履歴情報を記憶する複製履歴記憶手段と、
前記ユーザ情報記憶手段に記憶されたユーザおよび前記記録手段に記録されているコンテンツごとの複製可能回数を設定する設定手段と、をさらに備え、
前記設定手段は、前記複製履歴記憶手段に記憶された複製履歴情報に基づき、前記ユーザおよびコンテンツごとの複製可能回数を更新することを特徴とする請求項１に記載のコンテンツ記録再生装置。
【請求項３】
前記設定手段は、新たに記録したコンテンツについて、前記ユーザ情報記憶手段に記憶されたユーザごとに複製可能回数を割り当てることを特徴とする請求項２に記載のコンテンツ記録再生装置。
【請求項４】
前記設定手段は、前記ユーザ情報記憶手段に記憶された所定のユーザが前記記録手段に記録されているコンテンツを前記複製手段により複製した回数に応じて、当該コンテンツについて残っている複製可能回数を他のユーザに割り当てる手段をさらに有することを特徴とする請求項３に記載のコンテンツ記録再生装置。
【請求項５】
前記記録手段に記録されているコンテンツが、前記ユーザ情報記憶手段に記憶されたユーザの操作により記録されたものか否かを判定する判定手段をさらに有することを特徴とする請求項２に記載のコンテンツ記録再生装置。
【請求項６】
前記設定手段は、前記判定手段による判定の結果に基づき、前記複製履歴記憶手段に記憶されたユーザごとの複製履歴情報に応じて、コンテンツの複製可能回数を設定することを特徴とする請求項５に記載のコンテンツ記録再生装置。
【請求項７】
前記設定手段は、前記記録手段に記録されているコンテンツについて他のユーザに設定されている複製可能回数の譲渡を要求する手段と、
前記譲渡を要求した他のユーザから譲り受けた複製可能回数を設定する手段と、をさらに有することを特徴とする請求項２に記載のコンテンツ記録再生装置。
【請求項８】
コンテンツを受信する受信手段と、前記受信手段により受信したコンテンツを記録する記録手段と、前記記録手段に記録されているコンテンツを複製する複製手段と、を有するコンテンツ記録再生装置におけるコンテンツ管理方法であって、
登録された複数のユーザの情報を記憶するユーザ情報記憶工程と、
ユーザごとに、前記記録手段に記録されているコンテンツについての前記複製手段による複製可能回数を記憶する複製可能回数記憶工程と、
前記ユーザ情報記憶工程にて記憶されたユーザの情報に基づき、装置を操作しているユーザを識別する識別工程と、
前記複製可能回数記憶工程にて記憶された複製可能回数に基づき、前記識別工程により識別されたユーザおよびコンテンツごとの複製の実行を制御する制御工程と、を有することを特徴とするコンテンツ管理方法。
【請求項９】
請求項８に記載のコンテンツ管理方法をコンピュータに実行させるためのプログラム。
【発明の詳細な説明】
【技術分野】
【０００１】
本発明は、記録したコンテンツの複製可能回数をユーザごとに管理するコンテンツ管理技術に関する。
【背景技術】
【０００２】
従来、受信したコンテンツ（番組）を内蔵した記憶装置へ記録し、視聴者の要求に応じて再生することのできるコンテンツ記録再生装置が広く利用されている。このような記録再生装置はＤＶＤレコーダ等と呼ばれ、内蔵したハードディスク（ＨＤＤ）等の記憶装置から、ＤＶＤ等の記録媒体への録画番組の移動や複製を行うことができるのが一般的である。ところで、録画番組の複製に関する著作権保護の技術として、ダビング１０と呼ばれる技術が規格化され、運用が開始されている。ダビング１０によって、従来は移動しかできなかった録画番組に対して、９回まで複製することが可能となったため、録画番組の利用方法がより広がることが想定される。想定される利用方法としては、「画質調整ダビング」、「プレイリストダビング」、「コンテンツの持ち出し」等が挙げられる。以下、それぞれの利用方法について説明する。
【０００３】
画質調整ダビングとは、放送された元々の画質とは異なる画質で複製することである。画質を調整する方法としては、圧縮率を変える方法や画像の解像度を変える方法等がある。画質調整ダビングが利用される場面としては、元々の画質では１枚のディスクに収めることのできない番組を１枚のディスクに収まるよう調整することが想定される。例えば、４．７ＧＢのＤＶＤには、地上デジタル放送を４０分程度保存することができるが、画質を調整することで２時間程度の番組を１枚のＤＶＤへ保存することも可能となる。ただし、画質調整を行うと、データサイズが小さくなる一方で画質そのものは劣化する場合が多いため、ただデータサイズを小さくすればよいというものではない。そのため、画質調整ダビングを行う場合は、内蔵のＨＤＤに画質を変えながらいくつかの複製を作成し、画質面、データサイズ面の両面を満足する画質のものをＤＶＤ等の記録媒体へダビングを行うことが望ましい。この際、ＨＤＤ内に複製を作るために、ダビング１０の複製可能回数を１回分必要とする。
【０００４】
プレイリストダビングとは、録画番組の中から、ハイライトとなる部分等、ユーザの必要に応じて録画番組をつぎはぎしたものを複製することである。例えば、スポーツ番組の得点シーンのみを複製する場合がこれにあたる。プレイリストダビングでは、複数の番組のハイライト部分をまとめて複製することが行われるが、プレイリストダビングに使用された番組は、複製される部分の長短に関わらず、番組全体が複製された場合と同様にダビング１０の複製可能回数が１回分少なくなる。
【０００５】
コンテンツの持ち出しは、家庭にあるＤＶＤレコーダ等に録画した番組を、携帯電話や小型の再生装置等のモバイル機器に転送して外出先で番組を視聴する際に行われる。モバイル機器への番組の転送には、ダビング１０の複製可能回数を使用して複製することが一般的である。
【０００６】
以上のように、１人のユーザがダビング１０の複製可能回数を複数回使用する場面が多く想定される。例えばサッカーの番組を録画したユーザが、モバイル機器へ転送して通勤中に視聴し、得点シーンのみを集めたダイジェストを作成してダイジェスト保存用ＤＶＤへ複製し、試合全体を画質調整ダビングを利用した場合、３〜５回程度の複製を行う必要がある。
【０００７】
ところで、ＤＶＤレコーダ等の録画再生装置は一般に、家庭に１〜２台程度保有されるものであり、複数のユーザで共有して利用される場合が多い。このような場合に、各ユーザが自由に複製可能回数を利用してしまうと、複製可能回数が不足してしまうことが想定される。そのため、複製を行うことのできるユーザとそうでないユーザを管理する必要がある。例えば、特許文献１には、番組を録画したユーザの識別子を記録しておき、現在装置を操作しているユーザの識別子と録画したユーザの識別子とが一致する場合にのみ、再生／上書き／消去を許可する方法が記載されている。
【先行技術文献】
【特許文献】
【０００８】
【特許文献１】特開平１１−３０６６７２号公報
【発明の概要】
【発明が解決しようとする課題】
【０００９】
しかしながら、上記従来技術は、ユーザによる操作の可否を判定するもので、複製可能回数を管理することはできない。また、ダビング１０の複製可能回数を有効に利用するためには、単に特定のユーザのみに複製を許可するのではなく、各ユーザに適切に複製可能回数を割り振る必要がある。
【００１０】
本発明は、上記課題に鑑みてなされ、装置を利用するユーザごとに複製可能回数を管理することでユーザの利便性を向上できる技術を実現する。
【課題を解決するための手段】
【００１１】
上記課題を解決するために、本発明のコンテンツ記録再生装置は、コンテンツを受信する受信手段と、前記受信手段により受信したコンテンツを記録する記録手段と、登録された複数のユーザの情報を記憶するユーザ情報記憶手段と、前記記録手段に記録されているコンテンツを複製する複製手段と、ユーザごとに、前記記録手段に記録されているコンテンツについての前記複製手段による複製可能回数を記憶する複製可能回数記憶手段と、前記ユーザ情報記憶手段に記憶されているユーザの情報に基づき、装置を操作しているユーザを識別する識別手段と、前記複製可能回数記憶手段に記憶されている前記複製可能回数に基づき、前記識別手段により識別されたユーザおよびコンテンツごとの複製の実行を制御する制御手段と、を有する。
【００１２】
また、本発明のコンテンツ管理方法は、コンテンツを受信する受信手段と、前記受信手段により受信したコンテンツを記録する記録手段と、前記記録手段に記録されているコンテンツを複製する複製手段と、を有するコンテンツ記録再生装置におけるコンテンツ管理方法であって、登録された複数のユーザの情報を記憶するユーザ情報記憶工程と、ユーザごとに、前記記録手段に記録されているコンテンツについての前記複製手段による複製可能回数を記憶する複製可能回数記憶工程と、前記ユーザ情報記憶工程にて記憶されたユーザの情報に基づき、装置を操作しているユーザを識別する識別工程と、前記複製可能回数記憶工程にて記憶された複製可能回数に基づき、前記識別工程により識別されたユーザおよびコンテンツごとの複製の実行を制御する制御工程と、を有する。
【発明の効果】
【００１３】
本発明によれば、装置を利用するユーザごとに複製可能回数を管理することでユーザの利便性を向上できる。
【図面の簡単な説明】
【００１４】
【図１】本発明に係る実施形態１のコンテンツ記録再生装置の構成を示すブロック図である。
【図２】ユーザ管理部の構成を示すブロック図である。
【図３】ユーザの識別処理および認証処理を示すフローチャートである。
【図４】録画番組情報の管理テーブルを例示する図である
【図５】録画番組管理部の構成を示すブロック図である。
【図６】番組録画処理を示すフローチャートである。
【図７】録画番組の複製可能回数の管理テーブルを例示する図である
【図８】複製可能回数管理部の構成を示すブロック図である。
【図９】実施形態１の複製可能回数の自動設定処理を示すフローチャートである。
【図１０】複製可能回数の手動設定画面を例示する図である
【図１１】複製可能回数の手動設定処理を示すフローチャートである。
【図１２】複製制御処理を示すフローチャートである。
【図１３】本発明に係る実施形態２のコンテンツ記録再生装置の構成を示すブロック図である。
【図１４】複製可能回数設定部の構成を示すブロック図である。
【図１５】複製履歴の管理テーブルを例示する図である
【図１６】複製履歴に応じて付与されるポイントの管理テーブルを例示する図である
【図１７】実施形態２の複製可能回数の自動設定処理を示すフローチャートである。
【図１８】実施形態３の複製可能回数の自動設定処理を示すフローチャートである。
【図１９】実施形態４の複製可能回数の自動設定処理を示すフローチャートである。
【図２０】複製可能回数の譲渡処理および譲受処理を示すフローチャートである。
【発明を実施するための形態】
【００１５】
以下に、添付図面を参照して本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。
【００１６】
［実施形態１］図１は、本発明に係る実施形態１のコンテンツ管理方法を実行するコンテンツ記録再生装置の構成を示すブロック図である。図１において、制御部１０１は、バス１１２を介して各機能ブロックと接続されており、装置全体の動作を制御する。制御部１０１は、ユーザが操作する不図示のリモコンから送信される操作信号を受信し、受信した操作信号に応じた動作を行うよう装置を制御する。放送受信部１０２は、アンテナやケーブルテレビ回線を介して入力されたデジタル放送信号を受信する。放送受信部１０２は、複数のチャンネルの信号を受信できるよう構成されており、受信したデジタル放送信号から制御部１０１により指定されたチャンネルの信号を選局する。また、選局したチャンネルの信号に対して、復調処理、誤り訂正処理等、デジタル放送規格により定められた処理を施し、ＴＳ（Ｔｒａｎｓｐｏｒｔ Ｓｔｒｅａｍ）信号を生成する。録画再生部１０３は、制御部１０１の指示に応じて、放送受信部１０２により生成されたＴＳ信号の記録および、記録したＴＳ信号の再生を行う。ＴＳ信号の再生は、記録したＴＳ信号を読み出し、読み出したＴＳ信号を復号部１０４へ出力することで実行される。復号部１０４は、放送受信部１０２により生成されたＴＳ信号または、録画再生部１０３から出力されるＴＳ信号を、映像信号、音声信号などのコンテンツ信号と、ＳＩ（Ｓｅｒｖｉｃｅ Ｉｎｆｏｒｍａｔｉｏｎ）情報などの制御信号とに分離する。また同時に、復号部１０４は、コンテンツ信号に施されている暗号の復号化を行う。また、復号された信号はＭＰＥＧ−２等の動画圧縮方式により圧縮されているため、伸張処理を施し、コンテンツデータを生成する。表示処理部１０５は、復号部１０４により生成されたコンテンツデータを不図示のディスプレイに表示する処理を行う。また、表示処理部１０５は、各機能ブロックからの指示に応じて、ユーザへのメッセージ等を表すグラフィックデータの生成とディスプレイへの表示を行う。ユーザ管理部１０６は、後述するように装置を利用するユーザに関する情報を管理するとともに、現在装置を操作しているユーザの識別および認証を行う。録画番組管理部１０７は、後述するように録画再生部１０３により録画された番組の管理を行う。録画制御部１０８は、後述するように番組の録画を制御する。複製可能回数管理部１０９は、後述するようにユーザ管理部１０６により管理されるユーザごとに、各録画番組の複製可能回数を管理する。複製可能回数設定部１１０は、後述するようにユーザごとに各録画番組について複製可能回数を自動設定するとともに、ユーザからの指示に応じて複製可能回数を変更する。複製制御部１１１は、後述するように録画番組の複製を制御する。
【００１７】
＜ユーザ管理部１０６＞図２は、ユーザ管理部１０６の構成を示すブロック図である。図２において、ユーザ情報記憶部２０１は、ユーザ名やパスワード等のユーザ情報を管理する。ユーザ情報はユーザ登録部２０２によって更新され、ユーザ認証部２０３によって参照される。ユーザ登録部２０２は、制御部１０１からの指示に応じて、装置を利用するユーザの登録を行う。ユーザの登録は、不図示のディスプレイにユーザ登録画面を表示し、ユーザはその画面の指示に従ってリモコン等を操作してユーザ名やパスワードを入力し、ユーザ登録を行う。ユーザ認証部２０３は、録画番組管理部１０７、複製可能回数設定部１１０、複製制御部１１１からの指示に応じて、現在装置を操作しているユーザの識別および認証を行う。
【００１８】
＜ユーザ認証部＞図３は、ユーザ認証部２０３による処理を示すフローチャートである。図３において、ユーザの識別または認証を指示されると、ユーザ認証部２０３はユーザ一覧画面を表示し（Ｓ７０１）、ユーザが選択されるのを待つ（Ｓ７０２）。ユーザ一覧画面には、ユーザ情報記憶部２０１により管理されている全てのユーザのユーザ名が表示されている。ユーザはリモコンの上下左右キー等を利用して表示されているユーザ名の中から１つを選択することができる。Ｓ７０２にてユーザが選択されると、ユーザ認証が必要であるか否かを判定する（Ｓ７０３）。ユーザ認証が必要であった場合、パスワード入力画面を表示し（Ｓ７０４）、パスワードが入力されるのを待つ（Ｓ７０５）。パスワードの入力は、リモコンの数字キー等を利用して入力してもよいし、画面上に表示される、仮想的なキーボードをリモコンの上下キー等で操作することによって入力してもよい。Ｓ７０４にてパスワードが入力されると、入力されたパスワードがユーザ情報記憶部２０１により管理されているパスワードと一致するか否かを判定する（Ｓ７０６）。パスワードが一致した場合またはＳ７０３での認証が必要でなかった場合は、Ｓ７０２にて選択されたユーザが操作中のユーザであると判定し（Ｓ７０７）、処理を終了する。Ｓ７０６にてパスワードが一致しなかった場合は、Ｓ７０２へ戻り処理をやり直す。なお、Ｓ７０１およびＳ７０２におけるユーザの選択は、ユーザ選択用ボタンを備えたリモコン等を利用して行ってもよい。
【００１９】
＜録画番組管理部＞次に、録画番組管理部１０７について説明する。録画番組管理部１０７は、録画番組に関する情報をテーブルとして管理している。図４は、録画番組管理部１０７によって管理される録画番組情報の管理テーブルを例示している。図４において、録画番組管理部１０７は、録画番組情報として、番組名、放送日時の他に、録画を実行したユーザ名を記憶している。例えば録画番組１は２００８年９月１１日に「たろう」によって録画されたことを、録画番組２は２００８年９月１８日に「じろう」によって録画されたことを表している。なお、図４に示す録画番組情報に加えて、番組出演者等の情報を記憶してもよい。
【００２０】
図５は、録画番組管理部の構成を示すブロック図である。図５において、番組情報記憶部５０１は、図４に例示した録画番組情報管理テーブルを記憶している。番組登録部５０２は、録画制御部１０８からの指示に応じて、番組情報記憶部５０１に記憶される管理テーブルに録画番組情報を追加する。番組情報取得部５０３は、番組情報記憶部５０１に記憶されている録画番組情報を取得し、特に複製可能回数設定部１１０からの指示に応じて、番組を録画したユーザ名を取得する。
【００２１】
＜録画制御部＞次に、録画制御部１０８について説明する。図６は、録画制御部１０８による処理を示すフローチャートである。図６において、制御部１０１から番組の録画を指示されると、録画制御部１０８は操作中のユーザを識別する（Ｓ６０１）。ユーザの識別は、ユーザ管理部１０６にユーザの識別を指示することにより行う。次に番組の録画を開始する（Ｓ６０２）。番組の録画は、録画再生部１０３に録画を指示することにより行う。次に録画が終了するのを待つ（Ｓ６０３）。ユーザはリモコンの録画停止キーの押下等を行って録画の終了を指示することができる。Ｓ６０３で録画が終了すると、Ｓ６０１にて識別されたユーザを録画ユーザとして、録画番組管理部１０７に対して録画番組の新規登録を指示する（Ｓ６０４）。次に複製可能回数設定部１１０に対して、新規登録した録画番組について、ユーザごとに複製可能回数の割り当てを指示し（Ｓ６０５）、処理を終了する。
【００２２】
＜複製可能回数管理部＞次に、複製可能回数管理部１０９について説明する。複製可能回数管理部１０９は、各録画番組に対するユーザごとの複製可能回数をテーブルとして管理している。図７は、複製可能回数管理部１０９によって管理される録画番組の複製可能回数の管理テーブルを例示している。図７において、それぞれの数字は、各ユーザが各録画番組を複製可能な回数を表している。例えば、録画番組１に関して、「たろう」は９回複製可能であるが、他のユーザは複製できないことを表している。また、録画番組５に関しては、「おかあさん」は１回、「たろう」は５回、「はなこ」は１回それぞれ複製可能であるが、「おとうさん」と「じろう」は複製できないことを表している。
【００２３】
図８は、複製可能回数管理部１０９の構成を示すブロック図である。図８において、回数記憶部８０１は複製可能回数記憶手段として、図７に例示した複製可能回数管理テーブルを記憶している。番組追加部８０２は、録画制御部１０８からの指示に応じて、管理する録画番組を、回数記憶部８０１に追加する。回数設定部８０３は、複製可能回数設定部１１０からの要求に応じて、回数記憶部８０１に記憶されている複製可能回数を更新する。複製可能回数の更新は、複製可能回数設定部１１０より指定されたユーザの指定された録画番組に対する複製可能回数に対して行う。回数取得部８０４は、複製制御部１１１からの要求に応じて、指定されたユーザの指定された番組に対する複製可能回数を回数記憶部８０１から取得する。
【００２４】
＜複製可能回数設定部＞次に、複製可能回数設定部１１０について説明するが、最初に複製可能回数の自動設定処理について説明する。図９は複製可能回数設定部１１０が、複製可能回数を自動設定する処理を示すフローチャートである。録画制御部１０８から複製可能回数の自動設定を指示されると、複製可能回数設定部１１０は装置を操作しているユーザＸを識別する（Ｓ９０１）。ユーザの識別はユーザ管理部１０６に問い合わせることにより行う。次に、ユーザ管理部１０６により管理されている全てのユーザＹに対するループを開始する（Ｓ９０２）。次にＳ９０１にて識別したユーザＸとユーザＹが同一のユーザであるか否かを判定する（Ｓ９０３）。この判定はユーザ名を用いて行う。ユーザＸとユーザＹが同一ユーザであった場合、ユーザＹの指定された録画番組に対する複製可能回数を９に設定し（Ｓ９０４）、同一ユーザでなかった場合はユーザＹの指定された録画番組に対する複製可能回数を０に設定する（Ｓ９０５）。Ｓ９０３〜Ｓ９０５を全てのユーザＹに対して実行して処理を終了する（Ｓ９０６）。
【００２５】
次に、複製可能回数のユーザによる手動設定処理について説明する。複製可能回数の手動設定は、図１０に例示する回数設定画面を表示して行われ、ユーザはその画面の指示に従ってリモコン等を操作することにより各ユーザの複製可能回数を設定する。図１０は複製可能回数設定画面を例示している。図１０においては、録画番組と録画ユーザの対応が図４のようになっており、現在装置を操作しているユーザが「たろう」であった場合の、複製可能回数設定画面を表している。図１０において、複製済回数は該当する番組の複製が行われた回数を、残り設定可能回数は各ユーザに割り当て可能な複製可能回数を表している。例えば、録画番組１は複製済回数が０であるため９回複製が可能であり、そのうちの６回を「たろう」に設定しているため、他のユーザには残り３回分が設定可能であることを表している。また、録画番組５は複製済回数が２であるため７回複製可能であるが、「おかあさん」に１回、「たろう」に５回、「はなこ」に１回合計７回分の複製可能回数を設定済であるため、残り設定可能回数は０となっている。また、表示されている以外の録画番組は録画ユーザが「たろう」ではなく、現在装置を操作しているユーザである「たろう」には複製可能回数を設定する権限がないために表示されていない。ユーザはリモコンの上下左右キー等を利用して回数を設定したいセルを選択し、上下キーや数字キーを用いて回数を設定後、右下に表示されている設定終了ボタンを選択することによって操作を完了する。
【００２６】
図１１は、複製可能回数の手動設定処理を示すフローチャートである。図１１において、制御部１０１から複製可能回数の手動設定を指示されると、複製可能回数設定部１１０は装置を操作しているユーザＸを認証する（Ｓ１１０１）。ユーザの認証はユーザ管理部１０６へ問い合わせることによって行う。次に録画番組管理部へ問い合わせることにより、ユーザＸの録画番組の一覧を取得する。次にＳ１１０２にて取得した録画番組一覧に含まれる各番組に対する各ユーザの複製可能回数を、複製可能回数管理部１０９へ問い合わせることによって取得し（Ｓ１１０３）、図１０に例示した複製可能回数設定画面を表示する（Ｓ１１０４）。次にユーザが複製可能回数の設定を終了するのを待つ（Ｓ１１０５）。最後にユーザによって設定された回数によって各番組の複製可能回数を更新して（Ｓ１１０６）、処理を終了する。複製可能回数の更新は、複製可能回数管理部１０９に要求することによって行う。
【００２７】
＜複製制御部＞次に、複製制御部１１１について説明する。図１２は、複製制御部１１１による処理を示すフローチャートである。図１２において、制御部１０１から録画番組の複製指示があると、複製制御部１１１は複製を行う番組Ｘの番組名を取得する（Ｓ１２０１）。番組名の取得は、番組選択画面を表示してユーザが所定の番組を選択することにより行ってもよいし、制御部１０１からの複製指示に含まれる形態としてもよい。次に装置を操作しているユーザＹを認証する（Ｓ１２０２）。ユーザの認証はユーザ管理部１０６へ問い合わせることによって行う。次に複製可能回数管理部に問い合わせることによって、ユーザＹの番組Ｘに対する複製可能回数Ｃを取得する（Ｓ１２０３）。次に複製可能回数Ｃが１以上であることを確認し（Ｓ１２０４）、複製を実行する（Ｓ１２０５）。Ｓ１２０４にて複製可能回数Ｃが１以上でなかった場合は終了する。次に複製可能回数Ｃを１減算し（Ｓ１２０６）、ユーザＹの番組Ｘに対する複製可能回数を、Ｓ１２０６で得られた回数Ｃによって更新して（Ｓ１２０７）、処理を終了する。
【００２８】
実施形態１によれば、録画番組に対する複製可能回数を、装置を操作しているユーザごとに管理することが可能となるので、ダビング１０などの複製回数に制限がある記録コンテンツの複製を適切に制御でき、ユーザの利便性を向上することができる。
【００２９】
［実施形態２］実施形態２は、ユーザによる録画番組の過去の複製履歴に応じて複製可能回数を設定可能とした例である。図１３は、実施形態２のコンテンツ管理方法を実行するコンテンツ記録再生装置の構成を示すブロック図である。なお、実施形態１と同一の部分には同一の符号を付与して説明を省略する。
【００３０】
図１３において、複製可能回数設定部１３０１は、過去の複製履歴に基づき複製可能回数を設定する。図１４は、複製可能回数設定部１３０１の構成を示すブロック図であり、複製可能回数手動設定部１４０１は、図１１に例示したフローに従ってユーザによる複製可能回数の手動設定を制御する。複製履歴記憶部１４０２は、ユーザによる複製履歴情報をテーブルとして管理している。図１５は、複製履歴管理テーブルを例示している。図１５において、複製日は複製が行われた日付を、複製ユーザは複製を実行したユーザ名を、複製種別は、プレイリストダビングや画質調整ダビング等の複製の種類を、複製先はＤＶＤや内蔵ＨＤＤ等、複製が作成された先を表している。例えば２００８年１０月４日は、「じろう」によって、内蔵ＨＤＤへの画質調整ダビングが１回実行されていることを表している。複製履歴設定部１４０３は、複製制御部１１１からの指示に応じて、複製履歴記憶部１４０２に記憶されている複製履歴を更新する。複製ポイントテーブル記憶部１４０４は、複製履歴に応じて付与されるポイントをテーブルとして管理している。図１６は、複製ポイントテーブルを例示している。図１６において、画質調整ダビングが１５回〜３０回実行された場合には４ポイントが、同様にモバイル機器への転送が１５回以上実行された場合には２ポイントがそれぞれ付与されることを表している。また、複製ポイントテーブルを複数用意し、ユーザの嗜好情報に応じて、ユーザの好みの番組に対してはポイントが多くなるようテーブルを切り替えて利用するようにしてもよい。複製可能回数自動設定部１４０５は、録画制御部１０８からの指示に応じて、複製可能回数の自動設定を行う。
【００３１】
図１７は、複製可能回数自動設定処理を示すフローチャートである。図１７において、録画制御部１０８から複製可能回数の自動設定が指示されると、該当する番組を録画したユーザＸを識別する（Ｓ１７０１）。ユーザの識別は複製可能回数設定指示に含まれる情報から行う。次にユーザＸが過去３ヶ月に行った複製履歴を取得する（Ｓ１７０２）。次に画質調整ダビングの回数Ａ、プレイリストダビングの回数Ｂ、モバイル機器への転送の回数Ｃ、通常ダビングの回数Ｄをそれぞれ０で初期化する（Ｓ１７０３）。次にＳ１７０２にて取得した全ての複製履歴に対するループを開始する（Ｓ１７０４）。ループ内では、複製履歴Ｈが画質調整ダビングであるか否かを判定する（Ｓ１７０５）。画質調整ダビングであった場合はＡに１加算し（Ｓ１７０６）、画質調整ダビングでなかった場合は、複製履歴Ｈがプレイリストダビングであるか否かを判定する（Ｓ１７０７）。プレイリストダビングであった場合はＢに１加算し（Ｓ１７０８）、複製履歴Ｈがプレイリストダビングでなかった場合は、複製履歴Ｈがモバイル機器への転送であるか否かを判定する（Ｓ１７０９）。複製履歴Ｈがモバイル機器への転送であった場合はＣに１加算し（Ｓ１７１０）、モバイル機器への転送でもなかった場合はＤに１加算する（Ｓ１７１１）。Ｓ１７０５〜Ｓ１７１１を全ての複製履歴Ｈに対して実行し、ループを終了する（Ｓ１７１２）。次に複製ポイントテーブルを参照し、ポイントの合計Ｐを計算する（Ｓ１７１３）。例えば複製回数Ａ、Ｂ、Ｃ、Ｄがそれぞれ３０回、２０回、５回、２０回であった場合、ポイントの合計Ｐは、Ｐ＝６＋４＋１＋２＝１３として求められる。次にＳ１７１３にて計算されたポイントＰに基づき録画ユーザＸに付与されるコピー可能回数Ｎを決定する（Ｓ１７１４）。本例の場合、ダビング１０で複製が可能な９よりもポイントＰが大きいため、Ｎ＝９と決定する。ポイントＰが９以下である場合はＮ＝Ｐと決定する。次に録画ユーザＸのコピー可能回数をＮと設定する（Ｓ１７１５）。次にＮが９より小さいか否かを判定し（Ｓ１７１６）、Ｎが９より小さかった場合は、録画ユーザＸ以外のユーザに対して残りの複製可能回数を均等に割り当てて（Ｓ１７１７）、処理を終了する。
【００３２】
実施形態２によれば、ユーザの過去の複製履歴から録画を行ったユーザが必要とする複製可能回数を推定することができ、ユーザごとに適切に複製可能回数を設定可能となり、ユーザの利便性を向上することができる。
【００３３】
［実施形態３］実施形態３は、ユーザによる指示ではなく、装置が自動で推奨番組を録画した場合に複製可能回数を自動設定する例である。図１８は、複製可能回数自動設定部１４０５が自動録画番組に対して複製可能回数を自動設定する処理を示すフローチャートである。図１８において、合計ポイントＳを０で初期化する（Ｓ１８０１）。次に全てのユーザＸについてのループを開始する（Ｓ１８０２）。ループ内では、ユーザＸが過去３ヶ月に行った複製履歴を取得する（Ｓ１８０３）。次に画質調整ダビングの回数Ａ、プレイリストダビングの回数Ｂ、モバイル危機への転送の回数Ｃ、通常ダビングの回数Ｄをそれぞれ０で初期化する（Ｓ１８０４）。次にＳ１８０３にて取得した全ての複製履歴に対するループを開始する（Ｓ１８０５）。ループ内では、複製履歴Ｈが画質調整ダビングであるか否かを判定する（Ｓ１８０６）。画質調整ダビングであった場合はＡに１加算し（Ｓ１８０７）、画質調整ダビングでなかった場合は、複製履歴Ｈがプレイリストダビングであるか否かを判定する（Ｓ１８０８）。プレイリストダビングであった場合はＢに１加算し（Ｓ１８０９）、複製履歴Ｈがプレイリストダビングでなかった場合は、複製履歴Ｈがモバイル機器への転送であるか否かを判定する（Ｓ１８１０）。複製履歴Ｈがモバイル機器への転送であった場合はＣに１加算し（Ｓ１８１１）、モバイル機器への転送でもなかった場合はＤに１加算する（Ｓ１８１２）。Ｓ１８０６〜Ｓ１８１２を全ての複製履歴Ｈに対して実行し、Ｓ１８０５からのループを終了する（Ｓ１８１３）。次に複製ポイントテーブルを参照し、ポイントの合計Ｐを計算する（Ｓ１８１４）。ポイントＰの計算はＳ１７１３と同様の方法で行う。次にユーザＸのポイントとしてＰを記憶し、ＳにＰを加算した後、ユーザＸのループを終了する（Ｓ１８１７）。次に全てのユーザＸに対する別のループを開始する（Ｓ１８１８）。このループ内では、Ｓ１８１５にて記憶した、ユーザＸの合計ポイントＰ（Ｘ）を全てのユーザの合計ポイントＳで除算した値Ｐ（Ｘ）／Ｓにダビング１０の複製可能回数９を乗算した値をユーザＸの複製回数として設定する（Ｓ１８１９）。Ｓ１８１９での処理を全てのユーザＸに対して実行して、Ｓ１８０２からのループを終了する（Ｓ１８２０）。
【００３４】
実施形態３によれば、ユーザの嗜好情報等に基づき、装置が自動で録画を行った場合においても適切に複製可能回数を設定可能となり、ユーザの利便性を向上することができる。
【００３５】
［実施形態４］実施形態４は、ユーザによる手動録画と、装置による自動録画とを組み合わせた例である。図１９は、手動録画と自動録画を組み合わせた処理を示すフローチャートである。図１９において、ユーザまたは録画制御部１０８から複製可能回数の設定を指示されると、録画方法を取得する（Ｓ１９０１）。録画方法は、複製可能回数設定の指示に含まれているものとする。次に録画が手動録画であるか否かを判定する（Ｓ１９０２）。判定の結果、手動録画であった場合は、図１７のフローに従って複製可能回数を設定し（Ｓ１９０３）、手動録画でなかった場合は図１８のフローに従って複製可能回数を設定して（Ｓ１９０４）終了する。
【００３６】
実施形態４によれば、ユーザが手動録画を指示した場合と、ユーザの嗜好情報等に基づき装置が自動で録画を行った場合とを組み合わせた場合であっても適切に複製可能回数を設定可能となり、ユーザの利便性を向上することができる。
【００３７】
［実施形態５］実施形態５は、複数のユーザ間で複製可能回数の譲渡および譲受を行う例である。ある番組に対して複製可能回数を持っていないユーザが複製を行いたい場合、複製可能回数を持っているユーザに対して、複製可能回数を譲渡してもらうことを要求できる。また、複製可能回数の譲渡が要求されたことを譲渡要求先のユーザに通知することによって、複製可能回数のユーザ間での譲渡および譲受を可能としている。図２０は、複製可能回数の譲渡および譲受処理を示すフローチャートである。図２０において、ユーザ管理部１０６は、装置を操作しているユーザＸを識別する（Ｓ２００１）。次に複製可能回数の譲渡を要求する番組に対する各ユーザの複製可能回数を取得し（Ｓ２００２）、複製可能回数譲渡要求画面を表示する（Ｓ２００３）。複製可能回数譲渡要求画面は、各ユーザの複製可能回数を表示し、ユーザＸがどのユーザに対して何回分の複製可能回数の譲渡を要求するかを入力できるように構成される。次にユーザＸが画面への入力を終了するのを待ち（Ｓ２００４）、ユーザＸの入力情報から複製可能回数の譲渡を要求されたユーザＹを識別する。次にユーザＹを認証する（Ｓ２００６）。ユーザＹの認証は、電源がオンされたときにユーザＸからユーザＹに対して複製可能回数の譲渡要求があったことを表示し、ユーザＹが装置を操作していた場合には認証処理を行うようにすればよい。ユーザＹを認証した後、図１１に例示した複製可能回数手動設定フローに従って複製可能回数を更新し（Ｓ２００７）、処理を終了する。
【００３８】
実施形態５によれば、複数のユーザ間での複製可能回数の譲渡および譲受が可能となり、ユーザの利便性を向上することができる。
【００３９】
［他の実施形態］本発明の目的は、前述した実施形態の機能を実現するように各種デバイスを動作させるために、これらデバイスと接続された装置或いはシステムのコンピュータに対して、本実施形態の機能を実現するソフトウェアを供給しても達成できる。この場合、上記ソフトウェアのプログラムコードを記録した記憶媒体を、システム又は装置に供給し、そのコンピュータ（ＣＰＵやＭＰＵ）が記憶媒体に格納されたプログラムコードを読み出し実行して各種デバイスを動作させることで達成される。この場合、記憶媒体から読み出されたプログラムコード自体が前述した実施形態の機能を実現することになり、そのプログラムコードを記憶した記憶媒体は本発明を構成することになる。
【００４０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読み出したプログラムコードを実行することにより、前述した実施形態の機能が実現される場合もある。しかし、さらにプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【００４１】
さらに、記憶媒体から読み出されたプログラムコードが、コンピュータに装着された機能拡張ボードやコンピュータに接続された機能拡張ユニットに備わるメモリに書き込まれる場合も有得る。その後、プログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図１】
2010193096.tif 000003
【図２】
2010193096.tif 000004
【図３】
2010193096.tif 000005
【図４】
2010193096.tif 000006
【図５】
2010193096.tif 000007
【図６】
2010193096.tif 000008
【図７】
2010193096.tif 000009
【図８】
2010193096.tif 000010
【図９】
2010193096.tif 000011
【図１０】
2010193096.tif 000012
【図１１】
2010193096.tif 000013
【図１２】
2010193096.tif 000014
【図１３】
2010193096.tif 000015
【図１４】
2010193096.tif 000016
【図１５】
2010193096.tif 000017
【図１６】
2010193096.tif 000018
【図１７】
2010193096.tif 000019
【図１８】
2010193096.tif 000020
【図１９】
2010193096.tif 000021
【図２０】
2010193096.tif 000022